(57)【要約】【課題】駆動部から発生する音の録音の可能性が低減された、レンズ鏡筒着脱式構造のカメラ及びそのレンズ鏡筒を提供する。【解決手段】本発明のカメラは、駆動部２４，２５，Ｌ１，Ｌ２，Ｌ３を駆動する駆動源２２，２３，２４Ｍ又は集音用のマイク４０のいずれか一方を有する備えるレンズ鏡筒２０が装着可能であって、前記駆動源２２，２３，２４Ｍ又は前記マイク４０のいずれか他方を備えるカメラ１０において、前記レンズ鏡筒２０における前記一方を含むレンズ側空間と、前記カメラ１０における前記他方を含むカメラ側空間１０Ａとの間を、前記レンズ鏡筒２０の前記カメラ１０への装着に応じて遮音する遮音部材７２，３４を備えること、を特徴とする。【選択図】図１
2011113012.tif 000002
【特許請求の範囲】
【請求項１】
駆動部を駆動する駆動源又は集音用のマイクのいずれか一方を備えるレンズ鏡筒が装着可能であって、前記駆動源又は前記マイクのいずれか他方を備えるカメラにおいて、
前記レンズ鏡筒における前記一方を含むレンズ側空間と、前記カメラにおける前記他方を含むカメラ側空間との間を、前記レンズ鏡筒の前記カメラへの装着に応じて遮音する遮音部材を備えること、
を特徴とするカメラ。
【請求項２】
請求項１に記載のカメラであって、
カメラ内部において被写体光路を囲むように設けられ、カメラ内部の部品を保持するカメラ内保持部を備え、
前記遮音部材は、前記カメラ内保持部のレンズ鏡筒と対向する部位の全周に取り付けられた第１弾性部材を含み、前記レンズ鏡筒が前記カメラに装着される際に、前記レンズ鏡筒において前記第１弾性部材と対向して設けられたレンズ側押圧部に押圧されて該レンズ側押圧部と全周において密着すること、
を特徴とするカメラ。
【請求項３】
請求項２に記載のカメラであって、
前記カメラ内保持部の内壁側に該カメラ内保持部に対して密着して取り付けられた透明板部材を備え、
前記カメラ内保持部と前記透明板部材により、前記レンズ側空間と前記カメラ側空間とが分離されていること、
を特徴とするカメラ。
【請求項４】
請求項２または３に記載のカメラであって、
該カメラの外観部材となるカメラ筐体のレンズ鏡筒側開口部に設けられたカメラ側マウント部を備え、
前記カメラ内保持部はその外周側に延設するフランジ部を備え、
前記遮音部材は、前記フランジ部の全周に取り付けられた第２弾性部材を含み、前記カメラ側マウント部と前記フランジ部との間が、前記第２弾性部材により全周において密着していること、
を特徴とするカメラ。
【請求項５】
請求項１〜４のいずれか１項に記載のカメラであって、
前記駆動源はレンズ鏡筒に設けられたレンズ駆動用モータであり、
前記マイクは前記カメラに設けられていること、
を特徴とするカメラ。
【請求項６】
請求項２〜４の何れか一項に記載のカメラであって、
前記カメラ内保持部の前記部位の一部には、前記レンズ鏡筒に設けられているレンズ側接点と導通するカメラ側接点が前記遮音部材を貫通して設けられていること、を特徴とするカメラ。
【請求項７】
駆動部を駆動する駆動源又は集音用のマイクのいずれか他方を備えるカメラに装着可能であって、前記駆動源又は前記マイクのいずれか一方を備えるレンズ鏡筒において、
前記レンズ鏡筒における前記一方を含むレンズ側空間と、前記カメラにおける前記他方を含むカメラ側空間との間を、前記レンズ鏡筒の前記カメラへの装着に応じて遮音する遮音部材を備えること、
を特徴とするレンズ鏡筒。
【請求項８】
請求項７に記載のレンズ鏡筒であって、
被写体光路の囲むレンズ側環状部を備え、
前記遮音部材は、前記レンズ側環状部の前記カメラと対向する部位の全周に取り付けられた第３弾性部材を有し、前記レンズ鏡筒が前記カメラに装着される際に、前記カメラにおいて前記第３弾性部材と対向して設けられたカメラ側押圧部に押圧されて該カメラ側押圧部と全周において密着すること、
を特徴とするレンズ鏡筒。
【請求項９】
請求項８に記載のレンズ鏡筒であって、
前記カメラに設けられたカメラ側マウントに対して着脱可能なレンズ側マウント部を備え、
前記レンズ側マウント部は、前記レンズ側環状部及び前記第３弾性部材に対して光軸を中心として相対回転可能であること、
を特徴とするレンズ鏡筒。
【発明の詳細な説明】
【技術分野】
【０００１】
本発明は、レンズ鏡筒が装着可能なカメラ、及びカメラに装着可能なレンズ鏡筒に関するものである。
【背景技術】
【０００２】
例えばレンズ群を移動する駆動部を備えるレンズ鏡筒内においてレンズ群が駆動されると、駆動部から駆動音が発生する。音声とともに動画を撮影可能なカメラにおいては、動画撮影中にその駆動音が録音されることは好ましくない。このため、従来、レンズ鏡筒内に駆動モータを備えるレンズ一体式カメラにおいて、レンズ群が配置される空間内に撮像素子を配置してマイクが設けられている空間と分離し、さらにレンズ鏡筒の外周とカメラ本体から筒状に延びる鏡筒保護部との間に遮蔽部材を設け、レンズ鏡筒内の駆動部で発生した音がマイクに伝達されないようにしているものがある（例えば、特許文献１参照）。
【先行技術文献】
【特許文献】
【０００３】
【特許文献１】特開２００２−３１４８５４号公報
【発明の概要】
【発明が解決しようとする課題】
【０００４】
しかし、レンズ鏡筒着脱式カメラの場合、撮像素子は一般にカメラ側に設けられている。また、カメラ本体に鏡筒保護部は設けられていない。
【０００５】
本発明の課題は、駆動部から発生する音の録音の可能性が低減された、レンズ鏡筒が装着可能なカメラ、及びカメラに装着可能なレンズ鏡筒を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、駆動部（２４，２５，Ｌ１，Ｌ２，Ｌ３）を駆動する駆動源（２２，２３，２４Ｍ）又は集音用のマイク（４０）のいずれか一方を有する備えるレンズ鏡筒（２０）が装着可能であって、前記駆動源（２２，２３，２４Ｍ）又は前記マイク（４０）のいずれか他方を備えるカメラ（１０）において、前記レンズ鏡筒（２０）における前記一方を含むレンズ側空間（２０Ａ）と、前記カメラ（１０）における前記他方を含むカメラ側空間（１０Ａ）との間を、前記レンズ鏡筒（２０）の前記カメラ（１０）への装着に応じて遮音する遮音部材（７２，３４）を備えること、を特徴とするカメラ（１０）である。
請求項２に記載の発明は、請求項１に記載のカメラ（１０）であって、カメラ（１０）内部において被写体光路を囲むように設けられ、カメラ（１０）内部の部品を保持するカメラ内保持部（３３，１３３）を備え、前記遮音部材は、前記カメラ内保持部（３３，１３３）のレンズ鏡筒（２０）と対向する部位の全周に取り付けられた第１弾性部材を含み、前記レンズ鏡筒（２０）が前記カメラ（１０）に装着される際に、前記レンズ鏡筒（２０）において前記第１弾性部材と対向して設けられたレンズ側押圧部に押圧されて該レンズ側押圧部と全周において密着すること、を特徴とするカメラ（１０）である。
請求項３に記載の発明は、請求項２に記載のカメラ（１０）であって、前記カメラ内保持部（３３，１３３）の内壁側に該カメラ内保持部（３３，１３３）に対して密着して取り付けられた透明板部材（３２）を備え、前記カメラ内保持部（３３，１３３）と前記透明板部材（３２）により、前記レンズ側空間（２０Ａ）と前記カメラ側空間（１０Ａ）とが分離されていること、を特徴とするカメラ（１０）である。
請求項４に記載の発明は、請求項２または３に記載のカメラ（１０）であって、該カメラ（１０）の外観部材となるカメラ筐体（１１）のレンズ鏡筒側開口部（１２）に設けられたカメラ側マウント部（１０Ｍ）を備え、前記カメラ内保持部（３３，１３３）はその外周側に延設するフランジ部（３３Ｂ，１３３Ｂ）を備え、前記遮音部材（７２，３４）は、前記フランジ部（３３Ｂ，１３３Ｂ）の全周に取り付けられた第２弾性部材（３４）を含み、前記カメラ側マウント部（１０Ｍ）と前記フランジ部（３３Ｂ，１３３Ｂ）との間が、前記第２弾性部材（３４）により全周において密着していること、を特徴とするカメラ（１０）である。
請求項５に記載の発明は、請求項１〜４のいずれか１項に記載のカメラ（１０）であって、前記駆動源（２２，２３）はレンズ鏡筒（２０）に設けられたレンズ駆動用モータであり、前記マイク（４０）は前記カメラ（１０）に設けられていること、を特徴とするカメラ（１０）である。
請求項６に記載の発明は、請求項２〜４の何れか一項に記載のカメラ（１０）であって、前記カメラ内保持部（３３，１３３）の前記部位の一部には、前記レンズ鏡筒（２０）に設けられているレンズ側接点（２６）と導通するカメラ側接点（１３）が前記遮音部材（７２’）を貫通して設けられていること、を特徴とするカメラ（１０）である。
請求項７に記載の発明は、駆動部（２４，２５，Ｌ１，Ｌ２，Ｌ３）を駆動する駆動源（２２，２３，２４Ｍ）又は集音用のマイク（４０）のいずれか他方を備えるカメラ（１０）に装着可能であって、前記駆動源（２２，２３，２４Ｍ）又は前記マイク（４０）のいずれか一方を備えるレンズ鏡筒（２０）において、前記レンズ鏡筒（２０）における前記一方を含むレンズ側空間（２０Ａ）と、前記カメラ（１０）における前記他方を含むカメラ側空間（１０Ａ）との間を、前記レンズ鏡筒（２０）の前記カメラ（１０）への装着に応じて遮音する遮音部材（７２，３４）を備えること、を特徴とするレンズ鏡筒（２０）である。
請求項８に記載の発明は、請求項７に記載のレンズ鏡筒（２０）であって、被写体光路の囲むレンズ側環状部（７１）を備え、前記遮音部材は、前記レンズ側環状部の前記カメラ（１０）と対向する部位の全周に取り付けられた第３弾性部材（７２）を有し、前記レンズ鏡筒（２０）が前記カメラ（１０）に装着される際に、前記カメラ（１０）において前記第３弾性部材と対向して設けられたカメラ側押圧部（３３Ａ）に押圧されて該カメラ側押圧部（３３Ａ）と全周において密着すること、を特徴とするレンズ鏡筒（２０）である。
請求項９に記載の発明は、請求項８に記載のレンズ鏡筒（２０）であって、前記カメラ（１０）に設けられたカメラ側マウント（１０Ｍ）に対して着脱可能なレンズ側マウント部（２０Ｍ）を備え、前記レンズ側マウント部（２０Ｍ）は、前記レンズ側環状部（７１）及び前記第３弾性部材（７２）に対して光軸を中心として相対回転可能であること、を特徴とするレンズ鏡筒（２０）である。
なお、符号を付して説明した構成は、適宜改良してもよく、また、少なくとも一部を他の構成物に代替してもよい。
【発明の効果】
【０００８】
本発明によれば、駆動部から発生する音の録音の可能性が低減された、レンズ鏡筒が装着可能なカメラ、及びカメラに装着可能なレンズ鏡筒を提供することができる。
【図面の簡単な説明】
【０００９】
【図１】本発明の第１実施形態としてのカメラを概念的に示す縦断面図である。
【図２】カメラ本体の正面図である。
【図３】撮像レンズの背面図であって、（ａ）はカメラ本体への装着前、（ｂ）はカメラ本体への装着後の状態をそれぞれ示す。
【図４】本発明の第２実施形態としてのカメラを概念的に示す縦断面図である。
【図５】本発明の変形形態としてのカメラを概念的に示す正面図および一部断面図である。
【発明を実施するための形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向、正位置において上側に向かう方向をＹプラス方向、正位置において被写体に向かう方向をＺプラス方向とする。また、Ｚ軸プラス方向を前面側、Ｚ軸マイナス方向を背面側とも呼称する。
【００１１】
（第１実施形態）
図１は、本発明の第１実施形態としてのカメラ１を概念的に示す縦断面図である。図２は、カメラ本体１０の正面図である。図３は、レンズ鏡筒２０の背面図であって、（ａ）はカメラ本体１０への装着前、（ｂ）はカメラ本体１０への装着後の状態をそれぞれ示す。
カメラ１は、カメラ本体１０とレンズ鏡筒２０とにより構成されている。レンズ鏡筒２０は、カメラ本体１０に対して着脱可能となっている。
【００１２】
カメラ本体１０は、当該カメラ本体１０の外装骨格を形成するカメラ筐体１１に、カメラ側マウント部１０Ｍを備えている。また、カメラ本体１０は、カメラ筐体１１の内部に、撮像機構３０と、集音マイク４０と、電子ビューファインダー５０と、表示装置６０と、を備えている。
【００１３】
カメラ側マウント部１０Ｍは、カメラ筐体１１の前面側（Ｚプラス側）に設けられている。カメラ側マウント部１０Ｍの中央には、所定径の開口部１２が形成されている。
カメラ側マウント部１０Ｍには、後述するレンズ鏡筒２０におけるレンズ側マウント部２０Ｍが着脱可能に結合し、これによってレンズ鏡筒２０がカメラ本体１０に光軸ＯＡを一致させた状態で装着される。つまり、カメラ本体１０に対してレンズ鏡筒２０が着脱可能となっており、撮影対象に応じて焦点距離や機能などの異なる種種のレンズ鏡筒を交換して用いることができる。
【００１４】
カメラ側マウント部１０Ｍは、マウント面１０Ｍａと爪１０Ｍｂとを備えるいわゆるバネットマウントである。
爪１０Ｍｂは、カメラ側マウント部１０Ｍの開口部１２の内周を、略６等分した角度範囲の１つ置きに形成されている。すなわち、図２に示すように、爪１０Ｍｂは、Ｙ軸プラス側を中心とする略±３０°の範囲、Ｘ軸プラス側から時計回りに略６０°の範囲、Ｘ軸マイナス側から反時計回りに略６０°の範囲にそれぞれ形成されている。
【００１５】
カメラ側マウント部１０Ｍは、そのマウント面１０Ｍａに、後述するレンズ側マウント部２０Ｍにおけるマウント面２０Ｍａが当接し、爪１０Ｍｂがレンズ側マウント部２０Ｍにおける爪２０Ｍｂと光軸ＯＡ方向に係合することで、レンズ側マウント部２０Ｍと結合するようになっている。
【００１６】
撮像機構３０は、センサユニット３１と、カバーガラス３２等を備えている。
センサユニット３１は、撮像素子３１Ａと、オプチカルローパスフィルター３１Ｂと、支持基板３１Ｃ等が、所定の位置関係および精度で組み立てられて構成されている。
撮像素子３１Ａは、被写体光を電気信号に変換するＣＣＤ等の光電変換素子である。
オプチカルローパスフィルター３１Ｂは、撮像素子３１Ａの前面側に配置されており、撮像素子３１Ａの受光面に結像する被写体像にモアレが発生することを抑制する。
【００１７】
支持基板３１Ｃは、当該センサユニット３１の各構成要素を支持する基部であって、所定厚さの金属または樹脂板によって形成されている。
支持基板３１Ｃは、図示しない内部構造体にネジ等により固定され、これによってカメラ本体１０内の所定位置に撮像素子３１Ａが設けられている。
【００１８】
カバーガラス３２は、光学的に透明な所定厚さの平行平面ガラスによって形成されている。カバーガラス３２は、センサユニット３１に入射する被写体光を妨げることのない大きさに設定されている。
カバーガラス３２は、カメラ内保持部３３に保持されて、カメラ側マウント部１０Ｍにおける開口部１２の背面側に設けられている。
カメラ内保持部３３は、外形がカメラ側マウント部１０Ｍの開口部１２より大きく、カメラ側マウント部１０Ｍまたは当該カメラ本体１０の図示しない内部構造部材に固定されて設けられている。また、カメラ内保持部３３は、フランジ部３３Ｂとフランジ部Ｂにおけるカメラ本体側電気接点１３の内周側に設けられた凸部３３Ａと、を有する。
【００１９】
カメラ内保持部３３のフランジ部３３Ｂの前面と、カメラ側マウント部１０Ｍの背面との間には、外周側弾性部材３４が介装されており、これによって防音防塵構造が構成されている。
外周側弾性部材３４は、ネオプレンゴムやウレタンゴム等の所定の弾性を有する無垢素材またはこれらによる独立気泡性のスポンジによってカメラ側マウント部１０Ｍの開口部に沿う円環状に形成されている。外周側弾性部材３４は、カメラ側マウント部１０Ｍの開口部１２の全周を巡って配設され、光軸ＯＡ方向に所定量圧縮変形されてフランジ部３３Ｂの前面とカメラ側マウント部１０Ｍの背面とにそれぞれ密着して設けられている。
このように配設された外周側弾性部材３４は、カメラ側マウント部１０Ｍとフランジ部３３Ｂの前面との間を、内外で気密的に隔絶している。
なお、外周側弾性部材３４の形状は、カメラ側マウント部１０Ｍの開口部を巡る形状であれば、円環状に限らず、矩形等であっても良い。
【００２０】
上記のような外周側弾性部材３４による防音防塵構造により、カバーガラス３２、カメラ内保持部３３および外周側弾性部材３４が、カメラ側マウント部１０Ｍの開口部１２を介してカメラ筐体１１の内部に塵埃等が侵入することを防ぐ。これにより、塵埃等がセンサユニット３１（撮像素子３１Ａ）に付着して撮像に写り込む等の不具合を防ぐことができる。また、カメラ本体１０のカメラ側内部空間１０Ａが、カメラ側マウント部１０Ｍの開口部１２を介した外部と隔絶され、これによってカメラ側マウント部１０Ｍの開口部１２からカメラ筐体１１の内部への雑音等の音波の侵入も防ぐ。
なお、カバーガラス３２には、微少振動させて外観表面に付着したごみを除去するごみ除去機能をもたせてもよい。
【００２１】
また、カメラ内保持部３３における光軸ＯＡの下側（Ｙ軸方向マイナス側）には、当該カメラ本体１０とレンズ鏡筒２０との間での情報交換および、レンズ鏡筒２０へ電力供給を行うためのカメラ本体側電気接点１３が設けられている。カメラ本体側電気接点１３は、スプリングによって前面側に突出付勢されている。カメラ本体側電気接点１３は、用途に応じて複数（図では８個）、所定間隔で配設されており、それぞれ図示しない回路基盤に接続されている。カメラ本体側電気接点１３は、前述した外周側弾性部材３４の内周側（光軸ＯＡ寄り）に位置し、後述するレンズ鏡筒２０におけるレンズ側電気接点２６と対応している。
【００２２】
カメラ内保持部３３の凸部３３Ａは、所定幅で所定高さの矩形の断面形状で前面側に向けて突設され、光軸ＯＡを中心とする円環状に形成されている。この凸部３３Ａは、カメラ内保持部３３と後述するレンズ鏡筒２０との間に構成される防音構造の構成要素となっている。この防音構造については、後に詳述する。
【００２３】
集音マイク４０は、カメラ筐体１１の、前面側から見て略中央上面寄りに、配設されている。集音マイク４０は、マイク固定部材４１によってカメラ筐体１１の内面に装着されている。
マイク固定部材４１は、集音マイク４０の略外周全体を覆う形状であって開口部に固定フランジを備えている。そして、集音マイク４０を収容した状態で、固定フランジを介してカメラ筐体１１の内面に固定され、これによって、集音マイク４０をカメラ筐体１１に装着している。
【００２４】
カメラ筐体１１における、集音マイク４０と対応する位置には、複数の集音孔が開口形成されている。
集音マイク４０によって集音された音声は、当該カメラ本体１０の図示しない制御部に入力され、画像と共に記録されるようになっている。
【００２５】
電子ビューファインダー５０は、カメラ筐体１１の上面側（Ｙ軸方向プラス側）に配設されている。
電子ビューファインダー５０は、詳細は図示しないが、撮像照射モジュールおよび接眼光学系等を備えている。電子ビューファインダー５０は、センサユニット３１の撮像素子３１Ａによって撮像されたスルー画像を撮像照射モジュールに表示する。撮影者は、撮像照射モジュールに表示された画像を、接眼光学系を介して視認することができる。これにより、クイックリターンミラーを備えない構成であっても、いわゆる一眼レフのように撮像素子３１Ａによる撮像をリアルタイムで見ることができる。
【００２６】
表示装置６０は、カメラ筐体１１の背面側（Ｚ軸方向マイナス側）に配設されている。表示装置６０は、液晶パネル等によって構成されている。表示装置６０は、撮像素子３１Ａによって撮像したスルー画像を表示する。これにより、撮影者は、表示装置６０を介して撮像素子３１Ａによる撮像を見つつ、電子ビューファインダー５０を覗くことなく撮影することも可能となっている。また、表示装置６０は、カメラ１における各種機能の設定を行うための機能設定メニューや、シャッター速度、絞り及び露光補正情報などの使用者が操作部を介して入力した撮影に関する設定情報や測光情報などを表示する。さらに、撮影画像やそのヒストグラム及び撮影情報などを表示する。
【００２７】
レンズ鏡筒２０は、焦点距離が可変のいわゆるズームレンズであって、筒部材２１の内部に結像光学系を構成する３組のレンズ群（Ｌ１〜Ｌ３）と、絞りユニット２４とを備えている。また、筒部材２１の内部には、ズームモータ２２と合焦モータ２３とを備えている。さらに、筒部材２１の背面側の端部には、レンズ側マウント部２０Ｍを備えている。
【００２８】
レンズ鏡筒２０におけるレンズ群は、前面側から順に、第１レンズ群Ｌ１、第２レンズ群Ｌ２および第３レンズ群Ｌ３となっている。
第１レンズ群Ｌ１および第２レンズ群Ｌ２は、ズーミングレンズ群である。第１レンズ群Ｌ１および第２レンズ群Ｌ２は、ズームモータ２２によって回転駆動されるカム筒２５（図１では光軸ＯＡの下側半分のみ示す）によって、所定の関係で光軸ＯＡ方向に移動操作されるようになっている。この第１レンズ群Ｌ１および第２レンズ群Ｌ２の光軸ＯＡ方向の移動によって、当該レンズ鏡筒２０の焦点距離が変化する。
【００２９】
第３レンズ群Ｌ３は、フォーカシングレンズ群である。第３レンズ群Ｌ３は、合焦モータ２３によって、光軸ＯＡ方向に移動操作されるようになっている。この第３レンズ群Ｌ３の光軸ＯＡ方向の移動によって、当該レンズ鏡筒２０の光軸ＯＡ方向における結像位置が変化する
ズームモータ２２および合焦モータ２３は、それぞれ、筒部材２１の内部の外周近傍の背面側寄りにそれぞれ配設されている。
【００３０】
絞りユニット２４は、詳細には図示しないが、プラスチック等によって薄片状に形成された複数の絞り羽根と、絞り羽根を駆動する絞りモータ２４Ｍとを備えている。
絞りユニット２４（絞りモータ２４Ｍ）は、カメラ本体１０の制御部によって制御駆動され、センサユニット３１（撮像素子３１Ａ）に入射する被写体像の光量を調整する。
【００３１】
レンズ側マウント部２０Ｍは、マウント面２０Ｍａと爪２０Ｍｂとを備え、筒部材２１に固定されている。
爪２０Ｍｂは、レンズ側マウント部２０Ｍにおける爪１０Ｍｂが形成されていない領域と対応する角度範囲で形成されている。すなわち、図３（ａ）に示すように、爪１０Ｍｂは、Ｙ軸マイナス側を中心とする略±３０°の範囲、Ｘ軸プラス側から反時計回りに略６０°の範囲、Ｘ軸マイナス側から時計回りに略６０°の範囲にそれぞれ形成されている。
【００３２】
レンズ側マウント部２０Ｍは、その爪２０Ｍｂをレンズ側マウント部２０Ｍにおける爪１０Ｍｂと干渉しない回転位置として、マウント面２０Ｍａをカメラ側マウント部１０Ｍにおけるマウント面１０Ｍａに当接させた後、所定角度相対回転させることで爪２０Ｍｂが爪１０Ｍｂに光軸ＯＡ方向に係合し、カメラ側マウント部１０Ｍに対して係合する。これによって、レンズ鏡筒２０が、カメラ本体１０に対して装着される。
【００３３】
また、レンズ側マウント部２０Ｍの内周側には、内周カバー７１が装着されている。内周カバー７１は、当該レンズ鏡筒２０とカメラ本体１０との間に構成される防音構造の構成要素であり、詳しくは後述する。
【００３４】
上記のように構成されたカメラ１は、レンズ鏡筒２０の光学系を介して撮像機構３０における撮像素子３１Ａに結像された被写体像は撮像素子３１Ａによって電気信号に変換される。撮像素子３１Ａによって光電変換された撮像データは、当該カメラ１が備える図示しない制御部によって画像データとして信号処理される。信号処理された画像データは電子ビューファインダー５０及び表示装置６０に送られ、また、撮影時には、図示しない記録装置に記録される。カメラ１は、静止画のみならず動画の撮影も可能であり、動画撮影時には集音マイク４０によって集音された音声も記録される。
【００３５】
レンズ鏡筒２０における、ズームモータ２２の駆動によるズーム操作は、カメラ本体１０が備える図示しない操作部材の操作によって行われる、また、合焦モータ２３の駆動による合焦駆動は、カメラ本体１０が備える制御部からの制御指令に基づいて行われる。
【００３６】
なお、本実施形態のカメラ１は、機械式のシャッター装置を備えていない。撮影時における撮像素子３１Ａに対する被写体光の露光時間（撮像素子３１Ａが被写体光を蓄積する時間）の調整は、制御部が撮像素子３１Ａを電気的に制御（電子シャッタ制御）して行う。また、露出制御は、制御部が撮像素子３１Ａの出力に基づいて被写体光の輝度を測定（測光）し、この測光結果に基づいて自動露出制御（ＡＥ制御）する。このため、撮像素子３１Ａは、測光センサとしての機能も兼ねている。
【００３７】
つぎに、カメラ本体１０におけるカメラ内保持部３３とレンズ鏡筒２０との間に構成された防音構造について、詳細に説明する。
防音構造は、カメラ本体１０におけるカメラ内保持部３３と、レンズ鏡筒２０におけるレンズ側マウント部２０Ｍの内周側に配設された内周カバー７１と、内周カバー７１に設けられた内周側弾性部材７２と、により構成されている。
【００３８】
カメラ本体１０におけるカメラ内保持部３３には、前述したように、その前面側に凸部３３Ａが突設されている。
レンズ鏡筒２０における内周カバー７１は、全体形状が、所定の内外径の（径方向に所定幅の）円環状を呈し、像側には光軸ＯＡと直交する端面７１Ａを備えている。
【００３９】
そして、内周カバー７１は、その端面７１Ａを背面側として、レンズ側マウント部２０Ｍの内周に回転可能且つ脱落不能に装着されている。すなわち、内周カバー７１は、その外周がレンズ側マウント部２０Ｍの内周に回転可能に嵌合し、光軸ＯＡ方向には、レンズ側マウント部２０Ｍの背面側に形成された小径の内周フランジ部と、レンズ側マウント部２０Ｍの前面側にネジ止め固定された押さえ環７３との間に、脱落不能として設けられている。これにより、内周カバー７１は、レンズ側マウント部２０Ｍに対して相対回転可能に装着されている。
【００４０】
内周カバー７１の端面７１Ａには、内周側弾性部材７２が装着され、また、光軸ＯＡの下側（Ｙ軸方向マイナス側）となる位置にレンズ側電気接点２６が設けられている。
内周側弾性部材７２は、ネオプレンゴムやウレタンゴム等の所定の弾性を有する無垢素材またはこれらによる独立気泡性のスポンジによって、所定大きさの矩形断面で、カメラ側マウント部１０Ｍの開口部に沿う円環状に形成されている。
内周側弾性部材７２は、レンズ鏡筒２０をカメラ本体１０に正しく装着した状態において、カメラ本体１０におけるカメラ内保持部３３の凸部３３Ａと対応するように、光軸ＯＡを中心として全周を巡って設けられている。
【００４１】
内周側弾性部材７２は、その光軸ＯＡ方向における高さが、レンズ鏡筒２０がカメラ本体１０に正しく装着された状態において、カメラ本体１０におけるカメラ内保持部３３の凸部３３Ａに当接して所定量弾性変形し、圧接されて密着するようになっている。
すなわち、レンズ鏡筒２０をカメラ本体１０に装着する際には、レンズ側マウント部２０Ｍの爪２０Ｍｂを、カメラ側マウント部１０Ｍの爪１０Ｍｂと干渉しない回転位置で、レンズ側マウント部２０Ｍのマウント面２０Ｍａを、カメラ側マウント部１０Ｍのマウント面１０Ｍａに当接させた後、所定角度回転させる。このレンズ側マウント部２０Ｍのマウント面２０Ｍａを、カメラ側マウント部１０Ｍのマウント面１０Ｍａに当接させる際、内周カバー７１の端面７１Ａに設けられた内周側弾性部材７２が、カメラ本体１０におけるカメラ内保持部３３の凸部３３Ａに当接して所定量弾性変形するように設定されている。
【００４２】
ここで、レンズ鏡筒２０をカメラ本体１０に対して相対回転させて固定する際には、内周カバー７１は、カメラ側マウント部１０Ｍ（カメラ本体１０）に対しては相対回転せず、レンズ側マウント部２０Ｍ（レンズ鏡筒２０）に対して相対回転する。
すなわち、レンズ鏡筒２０をカメラ本体１０に対して相対回転させて固定する際には、内周側弾性部材７２が凸部３３Ａに圧接された状態であるため、レンズ側マウント部２０Ｍに対して回転可能な内周カバー７１は、内周側弾性部材７２と凸部３３Ａとの摩擦抵抗によって回転せずにその位置に留まり、レンズ側マウント部２０Ｍ（レンズ鏡筒２０）のみがカメラ側マウント部１０Ｍ（カメラ本体１０）に対して相対回転する。これにより、図３（ａ）に示す状態でレンズ側マウント部２０Ｍをカメラ側マウント部１０Ｍに合致させた後、レンズ側マウント部２０Ｍを回転させると図３（ｂ）に示すように内周カバー７１を残してレンズ側マウント部２０Ｍのみがカメラ側マウント部１０Ｍに対して回転した状態となる。
【００４３】
このように、レンズ鏡筒２０のカメラ本体１０への装着時において、内周カバー７１が回転せずにその位置に留まることで、内周側弾性部材７２と凸部３３Ａとが相対回転する構成であった場合に生ずる、摩擦抵抗で大きな操作力を要したり、摩擦の反力で内周側弾性部材７２が捲れて変形したりする不具合を防止できる。また、内周側弾性部材７２の摩滅による圧接力の減少に起因する防音効果の低下や、摩耗粉の発生を防ぐことができる。
【００４４】
上記のような防音構造によれば、レンズ鏡筒２０がカメラ本体１０に装着された状態において、レンズ鏡筒２０のレンズ側内部空間２０Ａと、カメラ本体１０のカメラ側内部空間１０Ａとは、内周側弾性部材７２によって隔絶される。その結果、レンズ鏡筒２０が備えるズームモータ２２や合焦モータ２３等の作動音が、隙間を伝ってカメラ本体１０の内部に設けられた集音マイク４０に達することを防ぎ、雑音として録音されることを抑制することができる。
【００４５】
カメラ本体１０の内部においては、前述したように、カメラ内保持部３３とカメラ側マウント部１０Ｍとの間に外周側弾性部材３４が介装されている。この外周側弾性部材３４による防音防塵構造と、内周側弾性部材７２による防音構造とが二重に構成されているため、レンズ鏡筒２０からの作動音のカメラ本体１０における集音マイク４０への侵入をより高いレベルで防ぐことができる。
【００４６】
内周カバー７１に設けられたレンズ側電気接点２６は、レンズ鏡筒２０とカメラ本体１０との間での情報交換および、カメラ本体１０から電力供給を受けるためのものである。レンズ側電気接点２６は、レンズ鏡筒２０内の図示しない回路基盤に接続されている。レンズ側電気接点２６は、前述したように、内周カバー７１における、光軸ＯＡの下側（Ｙ軸方向マイナス側）に、カメラ本体１０におけるカメラ内保持部３３に設けられたカメラ本体側電気接点１３と対応して設けられている。
【００４７】
内周カバー７１は、前述したように、レンズ鏡筒２０をカメラ本体１０に着脱操作する際においてカメラ本体１０に対して相対回転しない。このため、カメラ本体側電気接点１３とレンズ側電気接点２６との合致位置精度を出し易く、また、相対回転による接点の摩耗を防ぐことができ、電気的な接触を正確且つ確実に行うことができる。
【００４８】
なお、カメラ本体側電気接点１３と内周側弾性部材７２の配設位置関係は、上記構成に限らず、カメラ本体側電気接点１３が内周側弾性部材７２を貫通して突出するように構成しても良い。これにより、カメラ本体側電気接点１３とカメラ内保持部３３の配設孔との隙間を内周側弾性部材７２によって塞ぐことができ、防塵防音効果を高めることができる。
【００４９】
（第２実施形態）
つぎに、図４に示す本発明の第２実施形態について説明する。
図４は、本発明の第２実施形態におけるレンズ鏡筒２０を装着した状態のカメラ１００の縦断面図である。なお、本第２実施形態におけるカメラ１００の基本構成および作用は、前述した第１実施形態におけるカメラ１と同様である。このため、同一の構成要素については同符号を付して説明を省略する。
【００５０】
カメラ１００は、レンズ交換式のカメラであって、カメラ本体１１０とレンズ鏡筒１２０とにより構成されている。
カメラ本体１１０はカメラ側マウント部１０Ｍを備え、レンズ鏡筒１２０はレンズ側マウント部２０Ｍを備えている。カメラ本体１１０とレンズ鏡筒１２０とは、カメラ側マウント部１０Ｍとレンズ側マウント部２０Ｍとによって、着脱可能に結合する。
【００５１】
カメラ本体１１０は、撮像機構３０の支持構造が、前述した第１実施形態におけるカメラ本体１０と異なる。
すなわち、カメラ本体１１０は、カメラ筐体１１の内部に支持フレーム１３０を備えている。
【００５２】
支持フレーム１３０は、光軸ＯＡ方向に所定長さの前後に開放する角筒状または円筒状であって、前面側に保持フランジ１３３を備えている。
保持フランジ１３３は、外周側弾性部材３４を介してカメラ側マウント部１０Ｍの背面側に連結されている。また、保持フランジ１３３は、凸部３３Ａを備えている。
【００５３】
凸部３３Ａは、所定幅で所定高さの断面形状で前面側に向けて突設され、光軸ＯＡを中心とする円環状に形成されている。
凸部３３Ａには、レンズ鏡筒２０がカメラ本体１０に正しく装着された状態において、内周カバー７１に設けられた内周側弾性部材７２が当接して所定量弾性変形し、圧接されて密着するように設定されている。
支持フレーム１３０の背面側には、撮像機構３０が支持基板３１Ｃを介して装着されている。
【００５４】
このように構成された、カメラ１００は、レンズ鏡筒２０のレンズ側内部空間２０Ａと、カメラ本体１０のカメラ側内部空間１０Ａとは、内周側弾性部材７２によって隔絶される。その結果、レンズ鏡筒２０が備えるズームモータ２２や合焦モータ２３等の作動音が、隙間を伝ってカメラ本体１０の内部に設けられた集音マイク４０に達することを防ぎ、雑音として録音されることを抑制することができる。また、カメラ本体１０の内部において、支持フレームの保持フランジ３３Ａとカメラ側マウント部１０Ｍとの間に介装された外周側弾性部材３４と共に、防音構造が二重に構成されているため、レンズ鏡筒２０からの作動音のカメラ本体１０における集音マイク４０への侵入をより高レベルで防ぐことができる。
なお、支持フレーム１３０の前面側開放部に、前述した第１実施形態と同様に透明なカバー部材（カバーガラス）を設けた構成としても良い。
【００５５】
以上、本実施形態によると、以下の効果を有する。
（１）上記カメラ１によれば、レンズ鏡筒２０がカメラ本体１０に装着された状態において、レンズ鏡筒２０のレンズ側内部空間２０Ａと、カメラ本体１０のカメラ側内部空間１０Ａとは、内周側弾性部材７２によって隔絶される。その結果、レンズ鏡筒２０が備えるズームモータ２２、合焦モータ２３、絞り駆動用のモータ２４Ｍ等の作動音が、隙間を伝ってカメラ本体１０の内部に設けられた集音マイク４０に達することを防ぎ、雑音として録音されることを抑制することができる。
【００５６】
（２）内周側弾性部材７２は、レンズ鏡筒２０がカメラ本体１０に正しく装着された状態において、カメラ本体１０におけるカメラ内保持部３３の凸部３３Ａに当接して所定量弾性変形し、圧接されて密着する。これにより、レンズ鏡筒２０のレンズ側内部空間２０Ａと、カメラ本体１０のカメラ側内部空間１０Ａとの間の隙間の発生を防ぎ、高い防音効果が得られる。
【００５７】
（３）カメラ本体１０は、カバーガラス３２を保持するカメラ内保持部３３と、カメラ側マウント部１０Ｍの背面との間に外周側弾性部材３４が介装されて防音防塵構造が構成されている。さらに、カメラ本体１０にレンズ鏡筒２０が装着されると、カメラ内保持部３３およびカバーガラス３２と内周側弾性部材７２とによって、レンズ鏡筒２０のレンズ側内部空間２０Ａと、カメラ本体１０のカメラ側内部空間１０Ａとが隔絶される。これにより、カバーガラス３２、カメラ内保持部３３および外周側弾性部材３４が、カメラ側マウント部１０Ｍの開口部１２を介してカメラ筐体１１の内部に塵埃等が侵入することを防ぎ、塵埃等がセンサユニット３１（撮像素子３１Ａ）に付着して撮像に写り込む等の不具合を防ぐことができる。また、カメラ本体１０のカメラ側内部空間１０Ａが、カメラ側マウント部１０Ｍの開口部１２を介した外部と隔絶され、これによってカメラ側マウント部１０Ｍの開口部１２からカメラ筐体１１の内部への雑音等の音波の侵入も防ぐ。
【００５８】
（４）内周側弾性部材７２は、レンズ鏡筒２０に相対回転可能に装着された内周カバー７１に設けられている。これにより、レンズ鏡筒２０のカメラ本体１０への装着時において、レンズ鏡筒２０をカメラ本体１０に対して相対回転させても内周側弾性部材７２は回転せずにその位置に留まることができる。これにより、内周側弾性部材７２と凸部３３Ａとが相対回転する構成であった場合に生ずる、摩擦抵抗で大きな操作力を要したり、摩擦の反力で内周側弾性部材７２が捲れて変形したりする不具合を防止できる。また、内周側弾性部材７２の摩滅による圧接力の減少に起因する防音効果の低下や、摩耗粉の発生を防ぐことができる。
【００５９】
（５）カメラ本体１０は、カメラ内保持部３３とカメラ側マウント部１０Ｍとの間に介装された外周側弾性部材３４を備えている。カメラ１は、この外周側弾性部材３４による防音防塵構造と、内周側弾性部材７２による防音構造とが二重に構成されているため、レンズ鏡筒２０からの作動音のカメラ本体１０における集音マイク４０への侵入をより高いレベルで防ぐことができる。
【００６０】
（変形形態）
以上、説明した実施形態に限定されることなく、以下に示すような種々の変形や変更が可能であり、それらも本発明の範囲内である。
（１）本実施形態は、本発明を、カメラ本体１０に集音マイク４０を備えると共に、レンズ鏡筒２０にズームモータ２２および合焦モータ２３等の駆動源を備える構成のカメラ１に適用したものである。しかし、本発明はこの実施形態に限らず、カメラ本体１０に駆動源を、レンズ鏡筒２０に集音マイクを備える構成のカメラに適用しても良い。
【００６１】
（２）本実施形態では、カメラ本体１０に凸部３３Ａが、レンズ鏡筒２０に内周側弾性部材７２がそれぞれ設けられている。しかし、これに限らず、カメラ本体１０に内周側弾性部材が、レンズ鏡筒２０に凸部がそれぞれ設けられている構成であってもよい。また、凸部は必ずしも備えていなくても良い。
【００６２】
（３）本実施形態では、内周側弾性部材７２はレンズ鏡筒２０に回転可能に装着された内周カバー７１に設けられ、カメラ本体１０にレンズ鏡筒２０を装着する際の回転によっても回転しないように構成されている。しかし、内周側弾性部材７２をレンズ鏡筒２０（またはカメラ本体１０）に固定して設け、レンズ鏡筒２０をカメラ本体１０に装着する際の回転に伴って内周側弾性部材７２もカメラ本体１０（またはレンズ鏡筒２０）に対して回転する構成であっても良い。その場合には、内周側弾性部材７２の表面に四フッ化樹脂やポリアセタール樹脂等の摩擦係数の小さいシートを設けて、摩擦抵抗の軽減と内周側弾性部材７２の変形を防ぐ。
【００６３】
（４）カメラ本体１０のマウント近傍に設けられている弾性部材を介して接点を配置するように構成して更に遮音性を高めるようにしても良い。図５は、上述の実施形態で説明した内側弾性部材７２をカメラ本体側に設けておき、且つそれの一部を接点１３の部分まで延在させる構成とした内側弾性部材７２’を備える実施形態である。図５において、上図はカメラ正面図、下図はＡ−Ａ矢示部の断面図である。図５から明らかなように、接点１３は、弾性部材（遮音部材）７２’を貫通するように配置されており、これにより接点部分における遮音性（接点部分から漏れる音の遮音性）を向上させている。なお、これに限らず、上述の実施形態で示した外側弾性部材３４を接点部分まで延在させた上で、その外側弾性部材に接点１３を貫通させるように構成しても良いし、或いは内側弾性部材、外側弾性部材とは別個の弾性部材を接点部１３に配置するように構成しても良い。
【００６４】
なお、実施形態及び変形形態は、適宜組み合わせて用いることもできるが、詳細な説明は省略する。また、本発明は以上説明した実施形態によって限定されることはない。
【符号の説明】
【００６５】
１：カメラ、１０：カメラ、１０Ａ：カメラ側内部空間、１０Ｍ：カメラ側マウント部、１１：カメラ筐体、３０：撮像機構、３１Ａ：撮像素子、３２：カバーガラス、３３：カメラ内保持部、３３Ａ：凸部、３４：外周側弾性部材、４０：集音マイク、１３：カメラ本体側電気接点、２０：レンズ鏡筒２０、２０Ａ：レンズ側内部空間、２０Ｍ：レンズ側マウント部、２２：ズームモータ、２３：合焦モータ、２４：絞りユニット、２４Ｍ：絞りモータ、２５：カム筒、２６：レンズ側電気接点、７１：内周カバー、７１Ａ：端面、７２：内周側弾性部材、１００：カメラ、１１０：カメラ本体、１２０：レンズ鏡筒、１３０：支持フレーム、１３３：保持フランジ、ＯＡ：光軸、Ｌ１：第１レンズ群、Ｌ２：第２レンズ群、Ｌ３：第３レンズ群
【図１】
2011113012.tif 000003
【図２】
2011113012.tif 000004
【図３】
2011113012.tif 000005
【図４】
2011113012.tif 000006
【図５】
2011113012.tif 000007